(57)【要約】【課題】支持体、特に、情報支持体上の情報の不正操作防止被覆用に強力に接合し完全に覆う材料層を有する情報支持体を、確実で効果的な方法で提供する。【解決手段】  情報支持体（１２）は、情報支持体（１２）上に与えられた少なくとも１つの情報を有する。この情報は、超音波ソノトロード（１８）によってホットスタンプ用ストリップ（２４）から剥離された材料層で覆われ、この材料層は、情報支持体（１２）上に、情報支持体（１２）上の情報が覆われるべき位置で転移される。情報支持体上への材料層の転移は、低温で超音波ソノトロードを使用して、迅速に経済的に行うことができる。超音波ソノトロードは、好ましくは１５，０００から３５，０００Ｈｚの間の振動範囲で動作する。情報支持体（１２）は、支持体上の情報を覆うことなしに材料層を受け入れる支持体として構成することができる。【選択図】図１
2009528926.tif 000002
【特許請求の範囲】
【請求項１】
材料層を有する支持体であって、前記材料層が、超音波ソノトロード（１８、３８、４８、６８）を使用して前記支持体（１２）上に導入され、前記材料層が着色層であり、前記着色層がホットスタンプ用ストリップ（２４）の支持体から前記支持体上に転移することを特徴とする支持体。
【請求項２】
前記支持体が、少なくとも１つの情報を有する情報支持体（１２）であり、前記情報が前記情報支持体（１２）上にあって、前記情報を、前記情報の上に確実に接合する前記材料層で覆うことができ、前記材料層を破壊すると、前記情報を破損することなく前記材料層を除去できることを特徴とする請求項１記載の支持体。
【請求項３】
前記情報支持体（１２）が、携帯電話などの通信デバイス用のプリペイドカードとして使用されることを特徴とする請求項２記載の情報支持体。
【請求項４】
請求項１乃至４のいずれか１項に記載の支持体の製造方法であって、材料層が、特に情報支持体（１２）上の情報を覆うために前記支持体上に導入され、前記支持体がコンベアベルト（１４）の上で超音波ソノトロード（１８、３８、４８、６８）とアンビル（２０、４０、５０、７０）の間のギャップ（１６、４６、５６、６６）を通過し、前記ギャップ（１６、４６、５６、６６）を通過するときに、前記超音波ソノトロード（１８、３８、４８、６８）が、着色層を備えた支持体ストリップを有するホットスタンプ用ストリップ（２４）を前記支持体すなわち前記情報支持体（１２）とアンビル（２０、４０、５０、７０）とに押し付け、加圧された状態で、且つ超音波ソノトロード（１８、３８、４８、６８）の動作下において、着色層の領域部分が前記支持体ストリップから剥離し、前記支持体に、すなわち前記情報支持体（１２）の前記情報の上に恒久的に付着することを特徴とする製造方法。
【請求項５】
回転ソノトロード（１８）が前記超音波ソノトロードとして利用され、前記アンビル（２０）が、回転するようになっており、前記着色層を前記支持体上すなわち前記情報支持体（１２）上に導入するために回転することを特徴とする請求項４記載の製造方法。
【請求項６】
固定された、又は垂直に移動可能なソノトロード（３８、６８）が、コンベアベルト（１４）の通路（２２）の方向に沿ってヘッドが延びる前記超音波ソノトロードとして利用され、前記材料層を前記支持体上に導入する際、すなわち前記情報被覆処理時に、前記アンビル（４０、７０）が回転又は垂直移動できることを特徴とする請求項４記載の製造方法。
【請求項７】
固定ソノトロード（４８）が、コンベアベルト（１４）の通路（２２）の方向を横切って延びるヘッドを有する超音波ソノトロードとして利用され、前記情報被覆処理時に前記アンビル（５０）が回転又は垂直移動できることを特徴とする請求項４記載の製造方法。
【請求項８】
複数の超音波ソノトロード（１８、３８、４８、６８）および複数のアンビル（２０、４０、５０、７０）が順に配置され利用されることを特徴とする請求項４乃至７のいずれか１項に記載の製造方法。
【発明の詳細な説明】
【技術分野】
【０００１】
本発明は、材料層を備えた支持体、特に、情報支持体に関するものであって、その材料層は着色層であり、超音波ソノトロード（ｓｏｎｏｔｒｏｄｅ）を用いて支持体上に導入されるもの、及び支持体の製造方法、特に情報支持体上に堆積されたデータの保護のための製造方法であって、その情報は、堅固に接合する上記材料層で覆われ、この材料層は、これを除去するのに上記情報を破損することなく破壊される方法に関する。
【背景技術】
【０００２】
この種の支持体は、例えば情報支持体として利用され、着色層が秘密の数値コードのカバーとして使用される。特許文献１では、着色層として塗料などの液体であって、これを超音波ソノトロードを用いて１回ずつに分けて支持体上に導入することにより、支持体の均質なカバーを作り出すことを開示している。被覆されるべき材料ウェブが超音波ソノトロードの表面に導入され、加圧空気の印加によって、および／またはそれに応じて動作するローラ、および材料ウェブへの適切な張力によって、規定の加圧がもたらされる。特許文献２では、材料ウェブ、特にパッケージング材料の溶着または接着であって、超音波技術と互いの方へ動くアンビル部分が付随した超音波ソノトロードとを用いるもの、及び材料ウェブの溶着などの処理をするための振動運動のオーバレイを用いるものを開示している。
【０００３】
超音波ソノトロードは、非常に薄い材料層が情報支持体上に、情報支持体を高温にさらすことなくこれと非常に強力に接合した状態で導入されるようにする。転移される材料層は、必要に応じて非常に薄い厚みそのままで、恒久的に支持体に付着させることができる。超音波ソノトロードは、非常に速い製造速度を実現することができ、この種の被覆は安全で経済的である。ソノトロードは、規定された領域の超音波振動を生成することにより、情報支持体上に導入されるべき材料層を活性化し、この層を情報支持体に強く接合する。材料層の下にある数値コードなどの情報は、安全かつ認識不可能なように覆われ、材料層を破壊することによってのみ露呈させることができる。これにより、上述の情報（数値コード）は、その後の使用により破損されない。
【特許文献１】国際公開第９７／４９４９９号公報
【特許文献２】ドイツ特許公開３７１５１４６Ａ１
【発明の開示】
【発明が解決しようとする課題】
【０００４】
本発明の目的は、支持体、特に、情報支持体上の情報の不正操作防止被覆用に強力に接合し完全に覆う材料層を有する情報支持体を、確実で効果的な方法で提供することにある。さらに、支持体上に材料層を導入する方法、特に情報支持体上の情報を覆う方法を開発することが目的である。
【課題を解決するための手段】
【０００５】
支持体、特に情報支持体を生成する本発明の目的は、着色層がホットスタンプ用ストリップの支持ストリップから支持体に転移されることによって達成される。
【０００６】
超音波ソノトロードは、転移すべき材料層をホットスタンプ用ストリップから剥離し、この材料層を支持体上に恒久的に接合するように堆積させる。１つまたはそれぞれ異なる複数の着色層である材料層は、熱転移処理という枠内で本発明によって利用される超音波ソノトロードを用いて、すべての支持体上に恒久的に導入される。高温加圧処理では、Ｔ＝２００℃の温度が必要とされる。転移すべき着色層は、情報支持体上で点状に、あるいは材料層の転移部近くに高温が発生しないように画定されたある範囲にわたって、熱的に活性化させることができる。約Ｔ＝５０℃の温度が標準であり、より高い温度は、着色層を情報支持体上に直接転移させる領域内だけで発生する。保護情報を、破損することなく、強力に接合・被覆されるように被覆する着色層を情報支持体上へに導入することが超音波ソノトロードにより可能になる。
【０００７】
この種の情報支持体は、優先的には、携帯電話と一緒に利用されるような通信デバイス用のプリペイドカードとすることができる。プリペイドカード上に印刷される数値コードは、不正操作されることなく、且つその露呈が望まれるときまでしっかりと被覆された形で、その被覆が取り外される英数字コードとすることができる。
【０００８】
本発明による支持体を製造する方法は、材料層を支持体上に導入して情報支持体上の情報をできるだけ覆うようにして実施される。これにより、支持体すなわち情報支持体は、コンベアベルト上を進み、超音波ソノトロードとアンビルの間のギャップを通り抜ける。ギャップを通過する間、超音波ソノトロードは、支持体と一緒にギャップ中を進んでいるホットスタンプ用ストリップに荷重をかける。このホットスタンプ用ストリップは、着色層を備えた支持体バンドを有する。これらをアンビルに対向する位置におき、加圧された状態で、且つ超音波ソノトロードの動作下で、着色層の領域部分を支持体ストリップから剥離させ、情報支持体上の情報の上に確実に堆積させる。
【０００９】
超音波振動は、サーマルストリップの着色層内で熱を発生させ、これらの着色層部分は、情報支持体上の所望の情報を恒久的に覆うように恒久的に堆積させることができる。
【００１０】
本発明の好ましい一実施形態では、例えばスタンプのように配置され、回転するようになっているアンビルと協働する複数のソノトロードホーンをその周辺に有する超音波ソノトロードとして、回転ソノトロードを利用することができる。コンベアベルトを使用して情報支持体ならびにホットスタンプ用ストリップの両方をアンビルと回転ソノトロードの間に通過させることができ、回転ソノトロードの突起スタンプが、アンビルの領域内における材料加圧を増大させることで、着色層を剥離して情報支持体に移動させるための超音波振動をホットスタンプ用ストリップ内に導入する。
【００１１】
別の有利な実施形態では、超音波ソノトロードは、コンベアベルトの通路の方向に沿ってヘッドが延びる固定ソノトロードであり、アンビルが回転すると同時に情報が覆われる。この種のソノトロードでは、周期的な動作が可能である。ソノトロードは、中立段階時でも振動を継続し、アンビルが突起スタンプ表面を有し、それによって、突起スタンプ表面がソノトロードとアンビルの間に位置するときに、情報支持体およびホットスタンプ用ストリップへの材料加圧を高めることができる。
【００１２】
本発明の他の実施形態は、コンベアベルトの通路の方向を横切ってヘッドが延びる固定超音波ソノトロードを含み、アンビルが、情報の被覆時に回転する。このように方向付けされたこの種の装置は、コンベアベルトの移動の方向を横切って延在する情報担体上の情報を覆うことができる。
【００１３】
本発明の別の構成では、超音波振動および熱をサーマルストリップ上に伝導してサーマルストリップから着色層の部分を剥離させ、次に着色層が、確実に接合されるように情報支持体上に堆積してその情報を破損させることなく恒久的に覆うことによって、情報担体上のほとんどの異なる種類の情報を覆うように、複数の異種の又は同種の超音波ソノトロードを複数のアンビルとともに順に接続することができる。情報を被覆するためだけでなく、材料層を支持体それ自体に転移させるために情報支持体上に材料層を堆積させるすべての有利な実施形態もまた、本発明の目的であることは明らかであって、材料層が必ずしも情報を覆わなくてもよい。
【００１４】
本発明の他の特徴および利点は、本発明にとって重要な細部を含む図面と関連して、本発明の実施形態についての以下の説明から抜き出すことができる。個々の特徴は、本発明の実施形態で、個別にまたは一括して、かつ任意の組合せで使用することができる。
【発明を実施するための最良の形態】
【００１５】
図１は、情報支持体１２上の情報を覆う装置１０を示す図である。この情報支持体１２は、コンベアベルト１４上で移動して、超音波回転ソノトロード１８と、回転するようになっているアンビル（ａｎｖｉｌ）２０との間のギャップ１６を通り抜ける。コンベアベルト１４は、矢印２２の方向に動く。ホットスタンプ用ストリップ２４は、ギャップ１６を介して導入され、超音波回転ソノトロード１８の付近で確実に情報支持体１２の上に合わさる。ソノトロードヘッドまたはソノトロードホーンは、アンビル２０上に適切な圧力を与えて、超音波振動の影響下でホットスタンプ用ストリップ２４又はサーマルストリップから材料層を剥離し、これを情報担体１２に転移させる。
【００１６】
ホットスタンプ用ストリップ２４は、供給ローラ２６から供給され、ストリップ状で矢印２８の方向に移動してギャップ１６を通り抜け、続いて巻取りローラ３０上に巻き取られる。引張りローラ３２は、供給ローラ２６と超音波回転ソノトロード１８の間、ならびに超音波回転ソノトロード１８と巻取りローラ３０の間に発生する引張り力を補償するが、この引張り力は、給送処理中に供給ローラ２６と巻取りローラ３０の間で発生することがある。
【００１７】
超音波回転ソノトロード１８は、その周囲に複数の突起スタンプ３５（ホーン）が配置される。この突起スタンプ３５は、スタンプがアンビル２０と直接対向するように置かれたときに、ホットスタンプ用ストリップ２４の材料内に超音波振動を導入するのに必要な材料加圧が生じ、ホットスタンプ用ストリップ２４の支持材料から着色層の所望の部分を剥離して、その着色層を情報支持体１２上に恒久的に堆積させる。超音波回転ソノトロード１８は、ホットスタンプ用ストリップ２４から着色層を剥離するための所望の寸法を有するスタンプ３４の付近に、所望の超音波振動を生成する。
【００１８】
図２は、情報支持体１２上の情報をホットスタンプ用ストリップ２４からの着色層で覆うための追加装置１０’を示す。この装置では、コンベアベルト１４の方向に沿ってヘッドが延びる固定超音波ソノトロード３８が利用される。図１の装置１０の動作とは異なり、装置１０’では、情報担体と固定超音波ソノトロード３８のヘッドとの間に配置された支持体ストリップ２４から必要な着色層を超音波振動で剥離するのに十分な力で、アンビル４０を、下側から情報担体１２で押し付けると共に固定超音波ソノトロード３８のヘッドで押し付ける。これにより、情報担体１２を覆うことができる。アンビル４０の周囲に配置されたスタンプ４４は、材料転移に必要な所要の材料圧力を与える。図１の処理では、材料圧力は、超音波回転ソノトロード１８によってホットスタンプ用ストリップ２４および情報担体１２の上に直接導入される。図１に示された処理では、より精密な情報転写ローディングを実現することができる。
【００１９】
図３は、コンベアベルト１４の方向を横切ってヘッドが延びる固定超音波ソノトロード４８を備えた装置１０”の追加的な実施形態を示す。このタイプの構成では、コンベアベルト１４の移動方向を横切る方向に関して広い範囲にわたり延在する情報担体１２上の情報を覆うことが可能である。必要な材料圧力は、スタンプ５４によって固定超音波ソノトロード４８に情報支持体１２を押し付けるアンビル５０によって再度間接的に与えられる。超音波ソノトロード３８、４８は中立位置でも振動するが、支持ストリップ２４からの材料層だけをスタンプ５４の付近で情報支持体１２上に転移させる。ギャップ５６は、スタンプ５４の付近だけが十分に狭いので、超音波ソノトロード３８、４８によって生成された超音波振動を利用するための材料加圧が生じる。これにより、ホットスタンプ用ストリップ２４から材料層が剥離され、それぞれの情報支持体１２が被覆される。
【００２０】
図４は、アンビル７０に押し付けることができ、且つ垂直移動もできる垂直移動可能な超音波ソノトロード６８を有する装置の実施形態を示す。支持体、すなわち情報支持体６８はギャップ６６内に配置され、超音波ソノトロード６８とアンビル７０の間においてギャップ６６は、支持体すなわち情報支持体６２上に恒久的に転移させる材料層を超音波振動でホットスタンプ用ストリップ２４から剥離するのに十分な程度に、矢印７１、７２の方向に狭窄されている。コンベアベルト１４およびホットスタンプ用ストリップ２４は、支持体すなわち情報支持体６２への材料層の転移時には静止している。装置６０は周期的に動作する。支持体すなわち情報支持体上への材料層の転移が完了したとき、超音波ソノトロード６８およびアンビル７０を矢印７１および７２の方向に十分に移動させることで、覆われた支持体すなわち情報支持体をコンベアベルト１４によって超音波ソノトロード６８およびギャップ６６の付近から離して移動させるのに十分なだけギャップ６６が大きくなる。
【００２１】
情報支持体すなわち支持体１２は、情報支持体１２上に与えられた少なくとも１つの種類の情報を有し、この情報は、超音波ソノトロード１８によってホットスタンプ用ストリップ２４から分離された材料層で覆われる。材料層は、情報支持体すなわち支持体１２上に、情報支持体１２上の情報が覆われるべき位置で転移される。超音波ソノトロードによって材料層を情報支持体上に転移すると、低温でのより迅速で経済的な処理が実現する。超音波ソノトロードは、好ましくは１５，０００から３５，０００Ｈｚの間の振動範囲で動作する。情報支持体１２は、支持体上の情報を覆うことなしに材料層を受け入れる支持体として構成することができる。
【図面の簡単な説明】
【００２２】
【図１】着色層をホットスタンプ用ストリップから剥離しながら超音波回転ソノトロードを用いて情報支持体上の情報を覆うために使用される処理手順を示す、非常に概略的な装置の断面図である。
【図２】コンベアベルトの移動の方向に沿ってヘッドが延びる固定超音波ソノトロードを有する、情報支持体上の情報を覆う装置を示す図である。
【図３】コンベアベルトの通路の方向を横切ってヘッドが延びる固定超音波ソノトロードを有する装置を示す図である。
【図４】垂直方向に移動できる超音波ソノトロードを有する被覆装置を示す図である。
【図１】
2009528926.tif 000003
【図２】
2009528926.tif 000004
【図３】
2009528926.tif 000005
【図４】
2009528926.tif 000006
【手続補正書】
【提出日】平成19年9月13日(2007.9.13)
【手続補正１】
【補正対象書類名】特許請求の範囲
【補正対象項目名】全文
【補正方法】変更
【補正の内容】
【特許請求の範囲】
【請求項１】
少なくとも１つの情報が上に配置される情報支持体の製造方法であって、前記情報の上に確実に接合する材料層が前記情報支持体上の情報を覆い、前記材料層を破壊すると、前記情報を破損することなく前記材料層を除去することができ、前記情報支持体がコンベアベルト（１４）の上で超音波ソノトロード（１８、３８、４８、６８）とアンビル（２０、４０、５０、７０）の間のギャップ（１６、４６、５６、６６）を通過し、前記ギャップ（１６、４６、５６、６６）を通過するときに、前記超音波ソノトロード（１８、３８、４８、６８）が、着色層を備えた支持体ストリップを有するホットスタンプ用ストリップ（２４）を前記情報支持体（１２）とアンビル（２０、４０、５０、７０）とに押し付け、加圧された状態で、且つ超音波ソノトロード（１８、３８、４８、６８）の動作下において、前記着色層の領域部分が前記支持体ストリップから剥離し、前記情報支持体（１２）の前記情報の上に恒久的に付着することを特徴とする製造方法。
【請求項２】
回転ソノトロード（１８）が前記超音波ソノトロードとして利用され、前記アンビル（２０）が、回転するようになっており、前記着色層を前記情報支持体（１２）上に導入するために回転することを特徴とする、請求項１記載の製造方法。
【請求項３】
固定された、又は垂直に移動可能なソノトロード（３８、６８）が、コンベアベルト（１４）の通路（２２）の方向に沿ってヘッドが延びる前記超音波ソノトロードとして利用され、情報被覆処理手順時に、前記アンビル（４０、７０）が回転又は垂直移動できることを特徴とする請求項１記載の製造方法。
【請求項４】
固定ソノトロード（４８）が、コンベアベルト（１４）の通路（２２）の方向を横切って延びるヘッドを有する超音波ソノトロードとして利用され、前記情報被覆処理手順時に前記アンビル（５０）が回転又は垂直移動できることを特徴とする請求項１記載の製造方法。
【請求項５】
複数の超音波ソノトロード（１８、３８、４８、６８）および複数のアンビル（２０、４０、５０、７０）が順に配置され利用されることを特徴とする請求項１乃至４のいずれか１項に記載の製造方法。
【請求項６】
前記情報支持体（１２）が、携帯電話などの通信デバイス用のプリペイドカードとして構成されることを特徴とする、請求項１記載の製造方法。
【国際調査報告】
2009528926.tif 000007
2009528926.tif 000008
2009528926.tif 000009
2009528926.tif 000010